(57)【特許請求の範囲】
【請求項１】
盤の前面から保守が可能な制御盤において、制御盤内に多段に収納され、各々盤前面方向に引き出し可能に配設された複数のユニットと、特定の上記ユニット間に配設された少なくとも１の配線処理スペースと、上記配線処理スペースに面する上記ユニットの少なくとも上部又は下部に配設され上記ユニット間を接続するための中継コネクタを備え、上記中継コネクタの着脱方向を盤前面方向に傾斜させ又は略垂直方向に構成したことを特徴とする前面保守構造の制御盤。
【請求項２】
上記中継コネクタを上記配線処理スペースに面する上記ユニットの天井部又は底面部と兼用したことを特徴とする請求項１記載の前面保守構造の制御盤。
【請求項３】
上記中継コネクタを制御盤内の他の部位に接続するために使用することを特徴とする請求項１記載の前面保守構造の制御盤。
【請求項４】
上記中継コネクタが配設されたユニットの内部に、当該ユニット内配線の短絡又は分岐用の配線処理スペースを設けたことを特徴とする請求項１記載の前面保守構造の制御盤。
【発明の詳細な説明】
【０００１】
【発明の属する技術分野】
この発明は、前面保守構造の制御盤に係り、特に変電所や開閉所に設置される電力系統保護継電装置及び制御装置を収納する制御盤の構造に関する。
【０００２】
【従来の技術】
図５及び図６は特開平９−９４２４号公報に示された従来の前面保守構造の制御盤の側面断面図である。図において、制御盤本体１００内には、複数のラックＬ１〜Ｌｎが収納され、各ラックには制御機器を分割したユニットＵ１〜Ｕｍが納められており、このラックＬ１〜Ｌ３はラック単位で制御盤前面方向に着脱可能な構造となっている。各ラックには中継コネクタ１１１が設けられ、中継コネクタ１１１からの中継配線１１０は、各ラック間のスペースに配設された中継コネクタ１１６ａ，１１６ｂにより接続されている。また、保守スペースを拡大するために中継コネクタをラック１１７に納め、この中継コネクタ１１７も他のラックと同様に引き出し可能とする多段構成としている。
【０００３】
ユニット収納ラックの着脱に際しては、図６に示すように、ラックを一括して引き出しあるいは差し込むことにより着脱させ、中継コネクタ１１６も所望により着脱させる。また、必要により中継コネクタラック１１７も引き出して保守作業する。
【０００４】
【発明が解決しようとする課題】
従来の前面保守構造の制御盤においては、各ラック間のスペースに配設された中継コネクタ１１６ａ，１１６ｂは盤前面に対して平行に配設されており、そのため中継コネクタ１１６ａとラックＬ１又はＬ２と接続する配線１１０の長さが必然的に長くなりラック引き出し時及び収納時に邪魔になる。更に、各ラック間のスペースに各ラックとは別個に中継コネクタ１１６（中継コネクタラック１１７）を配設する必要があり、またスペース的にも無駄な空間となっていた。
【０００５】
この発明は上記のような問題点を解消するためになされたもので、制御盤内のユニット間の配線処理スペースを有効かつ最小限に抑え、中継コネクタをユニットとは別個に配置することなく、また中継配線作業の効率化を図ることを目的とする。
【０００６】
【課題を解決するための手段】
請求項１の発明は、盤の前面から保守が可能な制御盤において、制御盤内に多段に収納され、各々盤前面方向に引き出し可能に配設された複数のユニットと、特定の上記ユニット間に配設された少なくとも１の配線処理スペースと、上記配線処理スペースに面する上記ユニットの少なくとも上部又は下部に配設され上記ユニット間を接続するための中継コネクタを備え、上記中継コネクタの着脱方向を盤前面に向って傾斜又は略垂直方向に構成したことを特徴とする。
【０００７】
請求項２の発明は、中継コネクタを配線処理スペースに面するユニットの天井部又は底面部と兼用したことを特徴とする。
【０００８】
請求項３の発明は、中継コネクタを制御盤内の他の部位に接続するために使用することを特徴とする。
【０００９】
請求項４の発明は、中継コネクタが配設されたユニットの背部に、当該ユニット内配線の短絡又は分岐用の配線処理スペースを設けたことを特徴とする。
【００１０】
【発明の実施の形態】
実施の形態１．
図１はこの発明による前面保守構造の制御盤を示す全体斜視図である。図において、制御盤本体１には、電源ユニット２，ディジタルリレーユニット３，ディジタル入出力ユニット４を一体的に格納し前面に引き出せるようにした上段一体ラック５と、この上段一体ラック５の下部に配線処理スペース６を介して配設され引出し自在の補助リレーユニット７と、前部に配線用スペース８が設けられた入出力変換ユニット９がそれぞれ収納されている。また、制御盤本体１の最下段には制御盤前面より奥まった位置に引出・開閉式のテストターミナルパネル（ＴＴパネル）１０が取付けられている。
【００１１】
上段一体ラック５に格納された電源ユニット２、ディジタルリレーユニット３、及びディジタル入出力ユニット４は、現地での改造の可能性がほとんどない電源２次側配線で接続される機能ブロック群であり、それを一体化することにより個別配線方式で必要であった配線余長を無くし、電源インピーダンスの低減と配線作業性の向上を図っている。電源ユニット２には入力変換ユニットからのコネクタケーブル（ＤＣ１１０Ｖ）が接続され、電源ユニット２からは、ＣＰＵカードが配設されたディジタルリレーユニット３に配線（ＤＣ５Ｖ）が接続され、また、ＤＩＯカードが配設されたディジタル入出力ユニット４に対して配線（ＤＣ２４Ｖ）が接続される。
【００１２】
図２（ａ）はディジタル入出力ユニット４と補助リレーユニット７との接続関係を示す側面断面図である。ディジタル入出力ユニット４に抜き差し自在に配設されたＤＩＯカード４０にはカード側コネクタ４２が設けられ、このコネクタ４２からの中継配線４１は、補助リレーユニット７の上部に配設された中継用コネクタ５０を介して補助リレーユニット７に接続されている。また、図２（ｂ）に示すように、中継用コネクタ５０は、その一方側５０ａが中継配線４１に接続され、他方５０ｂが補助リレーユニット７の天井部に配設されており、これらコネクタ５０ａ，ｂの着脱操作方向は略上下方向（盤前面方向に対して垂直な方向）となっている。なお、コネクタ５０ａ，ｂの取り付け方向として、盤前面方向に所定角度θ（０度＜θ＜９０度）傾ける構成にしてもよい。
【００１３】
図３は補助リレーユニット７内部の様子を説明するための図である。補助リレーユニット７の内部はリレー実装スペース７０と配線処理スペース８０に分離されており、リレー実装スペース７０には補助リレー７１が実装されている。配線処理スペース８０の天井部には上述した中継用コネクタ５０が配設されており、この中継コネクタ５０は、ＤＩＯカード４０からの中継配線４１が接続されると共に、制御盤内の他の部位の制御機器とも接続するようになっている。また、配線処理スペース８０には補助リレーコネクタ７２及び分配用端子台６０が設けられ、これらコネクタ５０、７２及び端子台６０間には、分岐／短絡用の配線９０が配設されている。
【００１４】
次に、補助リレーユニットの配線変更作業について図４に基づき説明する。作業者は盤前面から配線処理スペース６を通して、補助リレーユニット７上部の中継コネクタ５０（中継配線４１のコネクタ５０ａ）を取り外す。その後、補助リレーユニット７を盤前面方向に引き出し、補助リレーユニット７単体で内部配線を変更する。
【００１５】
以上のように実施の形態１によれば、ディジタル入出力ユニット４と補助リレーユニット７との間に配線処理スペース６を配置し、この配線処理スペース６に面する補助リレーユニット７の上部に、ディジタル入出力ユニットのＤＩＯカード４０と補助リレーユニット７とを接続するための中継コネクタ５０を備え、中継コネクタ５０の着脱方向を盤前面に対して略垂直方向にしたことにより、中継のための配線長さが従来に比べて短くなり、インピーダンスの低減が図れると共に、中継配線時の作業性の向上が図れる。また、コネクタ５０ａ，ｂの取り付け方向として、盤前面方向に所定角度θ（０度＜θ＜９０度）傾ける構成にすることにより、盤前面からの着脱操作がより容易となる。
【００１６】
また、中継コネクタ５０を補助リレーユニット７の天井部と兼用することにより、配線処理スペース６に別個に中継コネクタを配置しなくて済み、スペースの有効利用が図れる。
【００１７】
更に、中継コネクタ５０を制御盤内の他の部位に接続するために使用することにより、補助リレーユニット７に対する全ての配線作業を中継コネクタ５０にて行え、作業の効率化が図れる。
【００１８】
また、中継コネクタ５０が配設された補助リレーユニット７の内部に短絡又は分岐用の配線処理スペース８０を設けることにより、短絡又は分岐用の配線を補助リレーユニット７の裏面に設ける必要がなくなり、配線が裏側に露出せず作業性が向上する。さらに、補助リレーユニット７にて独立して配線作業が行えるため生産性が向上する。
【００１９】
【発明の効果】
以上のように、請求項１の発明によれば、配線処理スペースに面するユニットの少なくとも上部又は下部に中継コネクタを配設し、中継コネクタの着脱方向を盤前面方向に傾斜させ又は略垂直方向に構成したので、中継のための配線長さが従来に比べて短くなり、インピーダンスの低減が図れると共に、中継配線時の作業性の向上が図れる。
【００２０】
請求項２の発明によれば、中継コネクタを配線処理スペースに面するユニットの天井部又は底面部と兼用することにより、配線処理スペースに中継コネクタを配置しなくて済み、配線処理スペースの有効利用が図れる。
【００２１】
請求項３の発明によれば、中継コネクタを制御盤内の他の部位に接続するために使用することにより、当該ユニットに対する全ての配線作業を中継コネクタにて行え、作業の効率化が図れる。
【００２２】
請求項４の発明によれば、中継コネクタが配設されたユニットの内部に、当該ユニット内配線の短絡又は分岐用の配線処理スペースを設けることにより、短絡又は分岐用の配線を当該ユニット７の裏面に設ける必要がなくなり、配線が裏側に露出せず作業性が向上する。さらに、補助リレーユニットにて独立して配線作業が行えるため生産性が向上する。
【図面の簡単な説明】
【図１】  この発明による前面保守構造の制御盤を示す全体斜視図である。
【図２】  この発明によるユニット間の接続関係を示す側面断面図である。
【図３】  この発明による補助リレーユニット内部の様子を説明するための図である。
【図４】  この発明による補助リレーユニットの配線変更作業を説明するための図である。
【図５】  従来の前面保守構造の制御盤の側面断面図である。
【図６】  従来の前面保守構造の制御盤の側面断面図である。
【符号の説明】
１  制御盤本体、２  電源ユニット、３  ディジタルリレー、４  入出力ユニット、５  上段一体ラック、６  配線処理スペース、７  補助リレーユニット、８  配線用スペース、９  入出力変換ユニット、４０  ＤＩＯカード、４１  中継配線、４２  ＤＩＯカードコネクタ、５０  中継コネクタ、６０  分配用端子台、７０  リレー実装スペース、７１  補助リレー、７２  補助リレーコネクタ、８０  配線処理スペース、９０  分岐／短絡用配線。
【図１】
0003714794.tif 000002
【図２】
0003714794.tif 000003
【図３】
0003714794.tif 000004
【図４】
0003714794.tif 000005
【図５】
0003714794.tif 000006
【図６】
0003714794.tif 000007